(57)【要約】【課題】様々な場所に携帯して十分なマッサージ効果を与えることができると共に、使用者並びに被施療者から生じる発汗などの水分の浸入を防止する防水機能を有した手装着型マッサージ機を提供する。【解決手段】本発明の手装着型マッサージ機１は、振動を発生させる振動発生部９と、振動発生部９を使用者Ａの手に装着可能とする装着手段２０と、を有する手装着型マッサージ機１において、振動発生部９に振動を発生させるための電力を供給するバッテリ１６が、振動発生部９又は装着手段２０に設けられている。【選択図】図２
2015217241.tif 000002
【特許請求の範囲】
【請求項１】
振動を発生させる振動発生部と、前記振動発生部を使用者の手に装着可能とする装着手段と、を有する手装着型マッサージ機において、
前記振動発生部に振動を発生させるための電力を供給するバッテリが、前記振動発生部又は前記装着手段に設けられていることを特徴とする手装着型マッサージ機。
【請求項２】
振動を発生させる振動発生部と、前記振動発生部を支持する支持フレームと、前記支持フレームを使用者の手に装着可能とする装着手段と、を有する手装着型マッサージ機において、
前記振動発生部に振動を発生させるための電力を供給するバッテリが、前記振動発生部、前記支持フレーム及び前記装着手段の少なくとも１つに設けられていることを特徴とする請求項１に記載の手装着型マッサージ機。
【請求項３】
前記振動発生部と前記バッテリとが、防水機構で保護されていることを特徴とする請求項１又は２に記載の手装着型マッサージ機。
【発明の詳細な説明】
【技術分野】
【０００１】
本発明は、手装着型マッサージ機に関する。
【背景技術】
【０００２】
従来より、手装着型マッサージ機といわれるマッサージ機がある。この手装着型マッサージ機は、バイブレーション（振動）を発生する振動発生装置を備えたものであり、ベルトなど装着手段を用いて使用者の手の甲に振動発生装置を装着し、その手を被施療者の肩や首など施療部に載置して、施療部に手揉みマッサージ動作に加えて、バイブレーション動作を付与するものである。
【０００３】
このような手装着型マッサージ機として、特許文献１に示すものがある。
特許文献１は、左右一対のマッサージ機本体と、該両マッサージ機本体のコントロール装置とを備え、各マッサージ機本体は、振動を発生する振動発生装置と、該振動発生装置を手のひらの指の付け根付近に装着する手袋とを備え、手袋は、柔軟性を有する材料により、手を覆う袋状に形成され、手袋の手のひら側における指の付け根付近は二重構造になっており、そこに各振動発生装置が支持されているハンドマッサージ機を開示する。
【先行技術文献】
【特許文献】
【０００４】
【特許文献１】特開２００４−９７４５３号公報
【発明の概要】
【発明が解決しようとする課題】
【０００５】
しかしながら、上記したような手装着型マッサージ機においては、施術する範囲も頭部から足部までの広範囲に亘ることが考えられる。加えて、使用する環境も、椅子型マッサージ機のようにリビングルームなどに限定されず、例えば、屋外で使用されることも想定される。
このような状況において、手装着型マッサージ機を用いてマッサージ動作を行おうとすると、まずは、バイブレーション動作を行うための供給電源の確保が困難となる虞がある。さらには、屋外での使用に伴う耐水性の問題も浮上する。使用者並びに被施療者の発汗による水分に対する性能からも、手装着型マッサージ機の耐水性、防水性は熱望されている。
【０００６】
前述の特許文献１に開示された手装着型マッサージ機は、上記した要求に応えるものとはなっていない。
本発明は、上記した問題に鑑みて為されたものであり、様々な場所に携帯して十分なマッサージ効果を与えることができると共に、使用者並びに被施療者から生じる発汗などの水分の浸入を防止する防水機能を有した手装着型マッサージ機を提供することを目的とする。
【課題を解決するための手段】
【０００７】
上記目的を達成するため、本発明においては以下の技術的手段を講じた。
本発明にかかる手装着型マッサージ機は、振動を発生させる振動発生部と、前記振動発生部を使用者の手に装着可能とする装着手段と、を有する手装着型マッサージ機において、前記振動発生部に振動を発生させるための電力を供給するバッテリが、前記振動発生部又は前記装着手段に設けられていることを特徴とする。
【０００８】
好ましくは、振動を発生させる振動発生部と、前記振動発生部を支持する支持フレームと、前記支持フレームを使用者の手に装着可能とする装着手段と、を有する手装着型マッサージ機において、前記振動発生部に振動を発生させるための電力を供給するバッテリが、前記振動発生部、前記支持フレーム及び前記装着手段の少なくとも１つに設けられているとよい。
【０００９】
好ましくは、前記振動発生部と前記バッテリとが、防水機構で保護されているとよい。
【発明の効果】
【００１０】
本発明に係る手装着型マッサージ機によれば、様々な場所に携帯して十分なマッサージ
効果を与えることができると共に、使用者並びに被施療者から生じる発汗などの水分の浸入を防止することができる。
【図面の簡単な説明】
【００１１】
【図１】本発明の手装着型マッサージ機の一例を模式的に示した斜視図である。
【図２】本発明の手装着型マッサージ機の内部構成の一例を模式的に示した断面図である。
【発明を実施するための形態】
【００１２】
以下に、本発明の手装着型マッサージ機について、図を基に説明する。
図１は、本発明の手装着型マッサージ機１の一例を模式的に示した斜視図である。図２は、本発明の手装着型マッサージ機１の内部構成の一例を模式的に示した断面図である。
なお、以下の説明では、図２の左右方向を実際の装置での前後方向と呼び、図２の上下方向を実際の装置における上下方向と呼ぶ。図２の紙面貫通方向を実際の装置での左右方向又は幅方向と呼ぶ。これらの方向は、図１において矢印をもって示しており、手装着型マッサージ機１を装着した使用者Ａから見たものと一致する。
【００１３】
以下に、本発明にかかる手装着型マッサージ機１の基本構成について、説明する。
図１に示すように、本発明の手装着型マッサージ機１は、使用者Ａが、使用者Ａ自身乃至は被施療者Ｂの施療部に対して手揉みマッサージ動作を行っている際に、使用者Ａの手を介してバイブレーション（振動）動作も付与するものである。
この手装着型マッサージ機１は、振動を発生させる振動発生部９と、振動発生部９を支持する支持フレーム２と、支持フレーム２を使用者Ａの手に装着可能とする装着手段２０とを有し、振動発生部９に振動を発生させるための電力を供給するバッテリ１６（内部電源）が、振動発生部９、支持フレーム２及び装着手段２０の少なくとも１つに設けられている。
【００１４】
図２に示すように、支持フレーム２は、平板状の台フレーム部材３と、振動発生部９を支持する２つの支持フレーム部材４，５とを有しており、側面視「コの字」型に一体形成されている。
なお、本実施形態では、台フレーム部材３と２つの支持フレーム部材４，５は、一体形成されたものとして説明するが、それぞれ別部材として形成されていてもよい。
【００１５】
台フレーム部材３は、左右の幅が使用者Ａの手の甲の幅とほぼ同じで、且つ前後の長さが手の甲とほぼ同じ又は、やや長く形成された板部材である。この台フレーム部材３は、手揉みマッサージ動作中に湾曲する手の甲に沿うようになっていることが好ましい。
支持フレーム部材４，５は、台フレーム部材３の前端部及び後端部から、それぞれ上方向へ向けて略垂直に立設された板部材であり、左右の幅が台フレーム部材３とほぼ同じ幅とされている。また、支持フレーム部材４，５の高さは、後述する振動発生部９の高さよりも高いものとされている。
【００１６】
前側支持フレーム部材４は、偏心回転部１２（振動発生部９の前側）を支持するものであり、上部に偏心回転軸１４を回動自在に支持する前側支持部６が設けられている。この前側支持部６には、軸受（ベアリング）が嵌め込まれていて、その軸受により偏心回転軸１４（詳細は後述）を回動自在に支持している。また、前側支持部６（前側支持フレーム部材４の上部）の前側面には、防水キャップ８が取り付けられている。
【００１７】
一方、後側支持フレーム部材５の上部には、後述する電動モータ１０を支持する後側支持部７が設けられている。この後側支持部７は、電動モータ１０の後側面に取り付けられている防振部材を嵌め込んで支持する孔が形成されている。なお、本実施形態では、後側支持部７は有底筒状の孔であるが、貫通状の孔であってもよい。
図２に示すように、振動発生部９は、電動モータ１０と、偏心回転部１２とを有していて、電動モータ１０が偏心回転部１２を偏心回転させることにより、バイブレーション動作を発生させるものである。振動発生部９は、前側支持フレーム部材４及び後側支持フレーム部材５との間に、掛け渡すように支持されている。
【００１８】
電動モータ１０は、側面視で横たわるように、すなわち駆動軸１１の軸芯が前後方向（装着された手の甲に沿った方向）を向くように配備されている。この電動モータ１０は、
使用者Ａの手の甲に載置可能な大きさ且つ重さの小型電動モータであり、回転駆動力を発生させる駆動軸１１が備えられている。
この駆動軸１１の先端には、偏心回転部１２が取り付けられていて、駆動軸１１が回転することにより偏心回転部１２が回転するようになっている。すなわち、偏心回転部１２が駆動軸１１回りに回転することで、電動モータ１０が揺動回転する。
【００１９】
偏心回転部１２は、電動モータ１０の駆動軸１１が挿入される孔が形成されている有底筒状の円筒部材１３と、駆動軸１１と共に回転する偏心回転軸１４とを有するものである。
偏心回転軸１４は、駆動軸１１の軸心方向に沿って設けられた円柱状の棒材であって、円筒部材１３の底部外側面から前方に向かって立設されている。また、偏心回転軸１４は、その先端が前側支持フレーム部材４に軸受を介して回動自在に支持されている。
【００２０】
なお、この偏心回転軸１４の軸心は、駆動軸１１と同様に前後方向を向くものであるが、駆動軸１１の軸心と異なる位置、すなわち偏心回転軸１４の軸心が円筒部材１３の軸心より外側にオフセットされて配備されている。つまり、この軸の軸心は、駆動軸１１の軸心と同一の軸心ではない。
以上より、偏心回転部１２は、円筒部材１３（駆動軸１１）の回転に対して、偏心回転軸１４が円筒部材１３の軸心回りに回転するようになっており、偏心カムの働きをするものである。
【００２１】
一方、電動モータ１０の後側面には、電動モータ１０の触れ回りを許容しつつ、当該電動モータ１０を後側支持フレーム部材５に連結する弾性支持部材１５が設けられている。弾性支持部材１５としては、例えば、振動発生部９の触れ回りを許容可能なゴム製のブッシュなどが好ましい。
以上述べた振動発生部９は、外部からの水分の浸入を防ぐための防水機構で保護されている。本実施形態の防水機構としては、電動モータ１０の全周囲を気密性乃至は水密性を有したケーシング１７（防水ケース）で覆う構成が採用されている。
【００２２】
図２に示すように、ケーシング１７は、例えば立方体や直方体などの内部が空洞とされた筺体であり、その内部には振動発生部９が遊嵌状態で格納可能とされている。このケーシング１７は、側面視で横たわるように配備されていて、前側と後側とに蛇腹状の開口部がそれぞれ形成されている。
前側開口部１８は、偏心回転軸１４（偏心回転部１２）より大きい内径とされた蛇腹状の筒部材であって、当該偏心回転軸１４が貫通している。また、前側開口部１８の前端は、外部からの水分の浸入を防止するために、前側支持フレーム部材４に気密性乃至は水密性をもって接続されている（防水機構）。
【００２３】
後側開口部１９は、電動モータ１０の防振部材より大きい内径とされた蛇腹状の筒部材であって、弾性支持部材１５が貫通している。また、後側開口部１９の後端は、外部からの水分の浸入を防止するために、後側支持フレーム部材５に気密性乃至は水密性をもって接続されている（防水機構）。
これら前側開口部１８及び後側開口部１９は、ゴム製のシート材など可撓性を有し、且つ防水機能を有する伸縮部材で形成されていて、振動発生部９のバイブレーション動作に伴うケーシング１７の動きによって伸縮するようになっている。
【００２４】
一方、本実施形態の手装着型マッサージ機１は、振動発生部９に電力を供給するバッテリ１６が、振動発生部９に設けられている。
図２に示すように、具体的には、振動発生部９の近傍であって、ケーシング１７の内部にバッテリ１６が配設されている。それ故、バッテリ１６も、外部からの水分の浸入を防ぐための防水機構で保護されていることになる。
【００２５】
バッテリ１６は、コンパクト、且つ高性能なものを採用しており、例えば携帯電話などに用いられているような超小型バッテリ（例えば、リチウムイオンポリマー電池）などが挙げられる。本実施形態においては、コンパクトなバッテリ１６を採用しているので、振動発生部９の近傍であれば、如何様な場所に配備してもよい。
ケーシング１７の下方、すなわち台フレーム部材３（支持フレーム２）の下側面には、
クッション材と装着手段２０とが設けられている。
【００２６】
クッション材は、手の甲がバイブレーション動作により痛みを受けないために、可撓性を有する布や合成繊維などの弾性材料で形成されている。
装着手段２０は、少なくとも１つ以上（本実施形態では、前後に２つ）設けられている。装着手段２０は、手装着型マッサージ機１を使用者Ａの手の甲に、容易に着脱可能とされると共に、装着した際には、手揉みマッサージ動作中において脱落しないようになっているものである。装着手段２０としては、例えば、クッション材と同じ材料で形成された布製のベルトなどが好ましく、そのベルトに着脱可能とするための面ファスナーなどが備えられているとよい。
【００２７】
次に、本発明の手装着型マッサージ機１の作動態様について、説明する。
図１に示すように、まず、使用者Ａは、手の甲に本発明の手装着型マッサージ機１を載置して、装着手段２０（ベルト）にて、手装着型マッサージ機１を手に固定する。なお、手装着型マッサージが、１つだけ用いる場合は片方の手（例えば、右手）に、２つ用いる場合は両方の手に装着する。
【００２８】
続いて、使用者Ａは、手装着型マッサージ機１に設けられた操作スイッチをＯＮにして、バッテリ１６から電力を振動発生部９に供給し、バイブレーション動作を発生させる。このとき、振動発生部９では、電動モータ１０の駆動軸１１が偏心回転部１２の偏心回転軸１４を回転させ、その偏心回転軸１４と駆動軸１１との２つの軸の異なった軸心回りの回転により、バイブレーション動作を発生させている。
【００２９】
そして、使用者Ａは、使用者Ａ自身乃至は、被施療者Ｂの施療部（肩、腰、首筋、頭部など）に、手装着型マッサージ機１を装着した手を当接させて、手揉みマッサージ動作を行う。このとき、使用者Ａの手は、バイブレーション動作が行われているので、施療部に手揉みマッサージ動作の付与に加えて、バイブレーション動作も付与されている。
以上述べたように、本発明の手装着型マッサージ機１は、バッテリ１６を本体内部に内蔵することで、供給電源の確保が困難な場所においても、使用者Ａ乃至は被施療者Ｂの施療部に、バイブレーション動作を加えた良好な手揉みマッサージ効果を提供することが可能である。
【００３０】
また、本発明の手装着型マッサージ機１は、外部からの水分の浸入を防止する防水機構を有しているので、屋外などでの使用も可能となる。
なお、今回開示された実施形態はすべての点で例示であって制限的なものではないと考えられるべきである。
例えば、本実施形態では、振動発生部９と装着手段２０とに、ケーシング１７及び支持フレーム２を備えたものとして手装着型マッサージ機１を説明したが、振動発生部９に装着手段２０を直接備えた手装着型マッサージ機１としてもよい。
【００３１】
特に、今回開示された実施形態において、明示的に開示されていない事項、例えば、運転条件や操作手順、各種パラメータ、構成物の寸法、重量、体積などは、当業者が通常実施する範囲を逸脱するものではなく、通常の当業者であれば、容易に想定することが可能な値を採用している。
【符号の説明】
【００３２】
１  手装着型マッサージ機
２  支持フレーム
３  台フレーム部材
４  前側支持フレーム部材
５  後側支持フレーム部材
６  前側支持部（軸受）
７  後側支持部
８  防水キャップ
９  振動発生部
１０  電動モータ
１１  駆動軸
１２  偏心回転部
１３  円筒部材
１４  偏心回転軸
１５  弾性支持部材
１６  バッテリ
１７  ケーシング
１８  前側開口部
１９  後側開口部
２０  装着手段
Ａ  使用者
Ｂ  被施療者
【図１】
2015217241.tif 000003
【図２】
2015217241.tif 000004